(57)【要約】【課題】排水特性が改善されてマークが形成されにくい抄紙機用織布を提供する。【解決手段】第１糸４，５，６によって形成される第１織布層２及び第２糸によって形成される第２織布層３を有する抄紙機用布１，２１，３１，４１であって、両織布層は、第１糸のうちの第１結合糸６により互いに結合され、前記第１糸は一方向に延在して、第１基礎糸５と第１結合糸６とに分けられ、第１基礎糸５は第１糸４とともに平織りを形成し、第１結合糸６は、第１糸とともに部分的に平織りを形成し、第１結合糸６は、１本の第２糸９と、外側にある結合点７，８にて係合して、第１結合糸６に直交する第１糸４であって結合点７，８にて係合されない第１糸４の本数は、結合点７，８にて係合される第２糸の本数より少なくとも２本多い抄紙機用織布であって、２本の隣接する第１基礎糸５の間にそれぞれ１本のみの第１結合糸６を配する抄紙機用織布。【選択図】図２
2011089247.tif 000002
【特許請求の範囲】
【請求項１】
抄紙機に装着される抄紙機用織布、特にフォーミングファブリックであって、第１織布層及び第２織布層を有し、
前記第１織布層は抄紙機に装着される際に紙側となる層であり、複数の第１織布層構成糸が互いに織り合わされていて反復する第１織布の繰返単位を形成し、
前記第２織布層は抄紙機に装着される際に抄紙機側となる層であり、複数の第２織布層構成糸が互いに織り合わされていて反復する第２織布の繰返単位を形成し、
第１織布層及び第２織布層は、第１結合糸により互いに結合されており、当該第１結合糸は第１織布層構成糸に含まれるものであり、
第１織布層構成糸には前記第１結合糸と同方向に延びる第１基礎糸と、第１基礎糸に対して交差する方向に延びる第１交差糸が含まれ、
前記第１基礎糸は前記第１交差糸とともに平織りを形成し、第１結合糸は、前記第１交差糸とともに部分的に平織りを形成し、
前記第１結合糸は、第２織布層構成糸であって当該第１結合糸と交差する第２交差糸のうち少なくとも１本と第２織布層の外側にある結合点で係合して、第１織布層から第２織布層へ、及びその逆へと移行し、
第１交差糸は、前記結合点近傍の領域で第１結合糸と係合されず、前記係合されなかった第１交差糸の本数は、前記結合点で係合される第２交差糸の本数より少なくとも２本多い抄紙機用織布であって、
２本の隣接する第１基礎糸の間にそれぞれ１本のみの第１結合糸を配することを特徴とする抄紙機用織布。
【請求項２】
第１結合糸が２本の隣接する第１基礎糸と直接隣接し、第１結合糸の両側に１本の第１基礎糸があることを特徴とする、請求項１記載の抄紙機用織布。
【請求項３】
第１結合糸が、抄紙機用織布の走行方向に直交して第１結合横糸として延び、結合点において少なくとも１本の第２縦糸と係合し、又は、第１結合糸が、抄紙機用織布の走行方向に第１結合縦糸として延び、結合点において少なくとも１本の第２横糸と係合することを特徴とする、請求項１又は２記載の抄紙機用織布。
【請求項４】
第１結合糸が結合点において１本の第２織布層構成糸と係合することを特徴とする、請求項１〜３のいずれかに記載の抄紙機用織布。
【請求項５】
第１結合糸によって係合された第２織布層構成糸及び当該第２織布層構成糸に平行な第１織布層構成糸が、互いに上下に重なる糸の対を結合点において形成し、当該対を構成する一方の第１織布層構成糸は、第１結合糸に隣接する第１基礎糸によって係合されていることを特徴とする、請求項１〜３のいずれかに記載の抄紙機用織布。
【請求項６】
第１結合糸が、当該糸に平行に延びる１本の第１基礎糸又は複数の第１基礎糸によって、それぞれ隣接する第１結合糸から隔てられ、２本の隣接する第１結合糸の間で平行に延びる第１基礎糸の本数が最大で４であることを特徴とする、請求項１〜５のいずれかに記載の抄紙機用織布。
【請求項７】
上下に配された第１織布層構成糸及び第２織布層構成糸からなる少なくとも１対が、結合点において、第１結合糸によって係合されている第２織布層構成糸に隣接して延在し、その第１結合糸が第１織布層と第２織布層との間を移行する時に当該２本の第１織布層構成糸及び第２織布層構成糸の間を通過することを特徴とする、請求項１〜６のいずれかに記載の抄紙機用織布。
【請求項８】
第１結合糸は、その延在部における２つの隣接する結合点の間で第１結合糸に直交する第１織布層構成糸の下を通って、第１織布層構成糸について対称に延び、この第１織布層構成糸の本数が、結合点において平行に延び、第１結合糸によって係合されていない第１織布層構成糸の本数と一致することを特徴とする、請求項１〜７のいずれかに記載の抄紙機用織布。
【請求項９】
第１交差糸の本数と当該糸に平行な第２織布層構成糸の本数との比が、１：１、２：１、３：２、１：２、又は２：３であることを特徴とする、請求項１〜８のいずれかに記載の抄紙機用織布。
【請求項１０】
第１結合糸及び第１結合糸に平行な第１基礎糸の本数の和と、第１基礎糸に平行な第２織布層構成糸の本数との比が、１：１，２：１、又は３：２であることを特徴とする、請求項１〜９のいずれかに記載の抄紙機用織布。
【請求項１１】
第１結合糸に加え、第２織布層構成糸に含まれる第２結合糸を有し、当該第２結合糸が第１結合糸に直交し、かつ、当該第２結合糸が、結合点において第２結合糸に直交する少なくとも１本の第１織布層構成糸と係合することを特徴とする、請求項１〜１０のいずれかに記載の抄紙機用織布。
【請求項１２】
第２織布層が、少なくとも４シャフト、最大で２４シャフト、とりわけ６又は８シャフトに製織されていることを特徴とする、請求項１〜１１のいずれかに記載の抄紙機用織布。
【請求項１３】
抄紙機用織布の走行方向に延びる糸が、ポリエチレンテレフタレート、ポリエチレンナフタレート、又はこれらの混合物若しくは共重合体であり、及び／又は走行方向に直交する糸が、ポリエチレンテレフタレート、ポリアミド、若しくはこれらの混合物若しくは共重合体、又はこれらとポリウレタンとのブレンド、又は抄紙機に使用するのに適した素材であることを特徴とする、請求項１〜１２のいずれかに記載の抄紙機用織布。
【請求項１４】
糸が、円形、楕円形、長方形、又は異なる外形を有する断面形状であることを特徴とする、請求項１〜１３のいずれかに記載の抄紙機用織布。
【請求項１５】
糸が、少なくとも２本のモノフィラメント又はマルチフィラメントをよること又は編むことによって製作されたものであり、及び／又は、特にウレタン若しくはアクリル素材により、又はナノ粒子を用いて、被覆されたものであることを特徴とする、請求項１〜１４のいずれかに記載の抄紙機用織布。
【発明の詳細な説明】
【技術分野】
【０００１】
本発明は、抄紙機用織布、特にフォーミングファブリック（ｆｏｒｍｉｎｇ  ｆａｂｒｉｃ）に関するものである。
【背景技術】
【０００２】
本明細書における、単語の意味は、原則として下記による。
（１）第１糸について
第１糸とは、主として第１織布層を構成する糸であり、縦糸と横糸の双方を含む。例えば、第１織布層を構成する糸であって縦糸に相当する糸は、「第１縦糸」と称する。また第１織布層を構成する糸であって横糸に相当する糸は、「第１横糸」と称する。要するに、第１織布層を構成する糸には、語頭に「第１」という語が付されている。
第１織布層を構成する糸であって横糸に相当する糸は、「第１××横糸」の様に称し、「××」部分に機能を付記している。例えば第１織布層の規則的な平織り部分を構成する糸は「第１基礎横糸」と称する。また第２織布層と連結する機能を備えた糸は「第１結合横糸」と称する。
（２）第２糸について
第２糸とは、主として第２織布層を構成する糸であり、縦糸と横糸の双方を含む。例えば、第２織布層を構成する糸であって縦糸に相当する糸は、「第２縦糸」と称する。また第２織布層を構成する糸であって横糸に相当する糸は、「第２横糸」と称する。要するに、第２織布層を構成する糸には、語頭に「第２」という語が付されている。
（３）基礎糸について
平織を構成する糸を基礎糸と称する。
（４）結合糸について
隣の織布層に跨がって二つの織布層を結合する糸を結合糸と称する。
（５）係合について
平面視したときに二つの糸が交差する位置関係にあり、且つ図７の、横糸Ａ１〜Ａ７と、縦糸Ｂとの関係の様に、一方の糸が他方の糸の周の何割かを取りまく状態にある場合を「係合」と称する。逆に図８の、横糸Ａ４、Ａ５の様に、糸の一部が接しているだけの様な場合は「係合」ではない。なお図８において、横糸Ａ１〜Ａ３と縦糸Ｂとの関係は、「係合」である。また横糸Ａ６と縦糸Ｂとの関係も、「係合」である。
（６）結合点について
結合点の意味には、狭義と広義がある。狭義の結合点は、一方の層を構成する糸が他方の層を構成する糸と接触する接触点を意味する。広義の結合点は、一方の層を構成する糸が他方の層を構成する糸と接触する平面領域を意味する。従って第２織布層と接する第１織布層の糸がある。図９の様に第１織布層１００と、第２織布層２００があり、第１織布層１００の縦糸Ｃが第２織布層２００の横糸Ｂ６と接している場合、狭義の結合点は、第１織布層１００の縦糸Ｃと、第２織布層２００の横糸Ｂ６との接触点であり、広義の結合点は、破線で囲んだエリアであって、上部の第１織布層１００の横糸Ａ６を含む。
【０００３】
本発明は、抄紙機用織布、特にフォーミングファブリックに関するものであり、第１織布層及び第２織布層を有し、第１織布層は紙側に設けられて第１糸からなり、第１糸は互いに織り合わされ、反復する第１織布の繰返単位を形成し、第２織布層は機械側に設けられて第２糸からなり、第２糸は互いに織り合わされ、反復する第２織布の繰返単位を形成し、当該両織布層は、第１糸のうちの第１結合糸により互いに結合され、前記第１糸は一方向に延在して、第１基礎糸と第１結合糸とに分けられ、第１基礎糸は、当該第１基礎糸に直交する第１糸とともに平織りを形成し、第１結合糸は、当該第１結合糸に直交する第１糸とともに部分的に平織りを形成し、第１結合糸は、当該第１結合糸に直交する第２糸のうち少なくとも１本と、外側にある結合点にて係合して、第１織布層から第２織布層へ、及びその逆へと移行し、第１結合糸に直交する第１糸であって結合点（広義  結合領域）にて当該第１結合糸により係合されていない第１糸の本数は、結合点（狭義  実際の結合点）にて係合される第２糸の本数より少なくとも２本多い抄紙機用織布に関する。
【０００４】
即ち本発明は、第１織布層及び第２織布層を有する抄紙機用織布であり、第１織布層を紙側に向けて使用するものである。
第１織布層は、基本構成が平織りの布であり、第１糸たる縦糸と横糸によって構成されている。第１織布層を構成する横糸又は縦糸は、機能的に第１結合糸と第１基礎糸とに区分される。例えば第１織布層を構成する横糸が、機能的に第１結合糸と第１基礎糸とに区分される。
第２織布層は、特に織り構造の限定が無い。
また第１織布層と第２織布層は、前記した第１結合糸によって結合されている。即ち第１結合糸は、第１織布層たる平織りの布を構成する横糸（縦糸でもよい）であるが、その一部が第２織布層側に延びて第２織布層の糸と絡まっている。
そのため第１結合糸の、第２織布層側に延びて第２織布層の糸と絡まっている領域においては、第１結合糸は、第１織布層の平織り組織を寄与することができず、目飛びの状態となる。
そして本発明は、前記した第１織布層の目飛びの状態の糸（例えば縦糸）の数が、第２織布層と絡まっている糸の数よりも少なくとも２本多い構成の抄紙機用織布を対象としている。
【０００５】
抄紙機用織布は、抄紙機において使用されるものであり、紙ウェブを支持するものである。
これらは、無端形状の織布、又は縫合することにより無端形状にした織布で、抄紙機内で循環する。
抄紙機の最初の部分において、フォーミングファブリックは、製紙用パルプが最初に配置される最上層で使用され、製紙用パルプは、フォーミングファブリックを通して排水されて、紙ウェブを形成する。
【０００６】
互いに上下に配された２層の織布層を有する抄紙機用織布が、フォーミングファブリックとして知られており、第１織布層、すなわち紙側に配置される織布層が第１縦糸及び第１横糸から成り、第２織布層、すなわち機械側に配置される織布層が第２縦糸及び第２横糸から成るものである。
両織布層において、第１糸（第１縦糸と第１横糸）及び第２糸（第２縦糸と第２横糸）が、反復する第１織布及び第２織布の繰返単位を形成している。
このようなタイプの、抄紙機のウェブ形成部で使用するのに特に適した抄紙機用織布の例は、国際公開第２００５／０１４９２６号、国際公開第２００５／０１７２５４号、国際公開第２００６／０８３６０４号、欧州特許出願公開第０７９４２８３号明細書、欧州特許第１６９３５０６号明細書、欧州特許第１５８６６９６号明細書、欧州特許第０９９８６０７号明細書、及び欧州特許第１５０６３３９号明細書より引用することができる。
【０００７】
２層の織布層の間の結合は、結合横糸によって行われる。結合横糸は、各第１糸の繰返単位の一部を成す。すなわち、独立した結合糸とは異なり、構造内の、或いは内在する糸を構成する。
第１縦糸の繰返単位に従う結合横糸による係合は、結合点でのみ中断する。
ここで、結合横糸は、当該結合横糸が外側（紙側）で係合する２本の第１縦糸の間で、１本の第２縦糸と外側（機械側）で係合する。これらの第１縦糸の間で結合横糸はそれ以上の第１縦糸と係合しない。
この目的のために、結合横糸は第１織布層から第２織布層へ移行し、第２縦糸と係合し、再び第１織布層に戻る。
【０００８】
前述のタイプの抄紙機用織布では、結合横糸はそれぞれ対に織り合わされる。すなわち、２本の結合横糸が常に２本の第１基礎糸の間に配されており、当該第１基礎糸は結合糸ではなく、かつ第１縦糸と平織りに一定の間隔で係合されている。
【０００９】
欧州特許第１５０６３３９号明細書に開示されている態様では、第１結合糸は、第１縦糸とやはり平織りで係合されているが、結合点において中断している。
２本の隣接する結合横糸によって形成される２つの糸経路を完成させるために、隣接する結合糸の対の間にさらに置換横糸が設けられている。
【先行技術文献】
【特許文献】
【００１０】
【特許文献１】国際公開第２００５／０１４９２６号
【特許文献２】国際公開第２００５／０１７２５４号
【特許文献３】国際公開第２００６／０８３６０４号
【特許文献４】欧州特許出願公開第０７９４２８３号明細書
【特許文献５】欧州特許第１６９３５０６号明細書
【特許文献６】欧州特許第１５８６６９６号明細書
【特許文献７】欧州特許第０９９８６０７号明細書
【特許文献８】欧州特許第１５０６３３９号明細書
【発明の概要】
【発明が解決しようとする課題】
【００１１】
公知の抄紙機用織布は、長方形又は正方形の規則正しい排水孔を形成している。
にもかかわらず、製織構造は中断を有する平織り面を生じさせる。
これにより、紙の質を損ない、紙ウェブにマークを付与してしまう。
【００１２】
本発明の基礎を成す目的は、抄紙機用織布、特に、排水特性を改善し、マークが形成されにくいようにした、抄紙機のウェブ形成部で用いられる織布を考案することである。
【課題を解決するための手段】
【００１３】
本発明によれば、２本の隣接する第１基礎糸の間にそれぞれ１本のみの第１結合糸を配することにより、上記目的を達成することができる。
特に、第１結合糸を、２本の隣接する１基礎糸と直接隣接して配すれば、２本の隣接する基礎糸の間には、第１結合糸以外には他の糸も存在しない。
【００１４】
２本の隣接する基礎糸の間の結合糸の本数を１本だけに減らすことが本発明の基本的な概念である。
これにより、均等に分布しているが不規則な形状の排水孔を紙側に有する構造を、作り出すことができる。
２本の隣接する第１糸、すなわち第１基礎糸と第１結合糸の間に形成された排水孔は、平面及び凹面を有するレンズ形状を有している。
排水孔の長手方向の配向は、特に第１結合糸及び第１基礎糸が機械方向と交差する方向、すなわち横方向に伸びている場合は、繊維構造を十分に支持するものである。
このような独特の排水用の表面パターンは、規則正しい四角の排水用の表面パターンを有するように製造されたものとは本質的に異なる排水構造を、紙シートに与えるものである。
【００１５】
本発明の実施形態において、第１結合糸が抄紙機用織布の走行方向に直交して第１結合横糸として延び、結合点において少なくとも１本の第２縦糸と係合している。
本実施形態は、繊維構造を十分に支持し、そのことは、抄紙機用織布がフォーミングファブリックとして設計されている場合には、特に重要である。
にもかかわらず、他の態様として、第１結合糸が抄紙機用織布の走行方向に第１結合縦糸として延び、結合点において少なくとも１本の第２横糸と係合することも可能である。
【００１６】
第１結合糸が結合点において１本のみの第２糸と係合する場合、一般的に、結合糸に直角に延びる第１糸のうち３本のみが、結合点において第１結合糸によって係合されない。
しかしながら、第１結合糸が、２本以上、例えば２本又は３本の第２糸と結合点において係合することも効果がある。
しかし、その場合、第１結合糸は第１織布層には少なくなる、すなわち、いずれの結合点においても大きな間隔があく、ということをここでは認識しなければならない。
【００１７】
他の実施形態では、第１結合糸によって係合された第２糸及び当該第２糸に平行な第１糸が、互いに上下に重なる糸の対を結合点において形成し、当該対の第１糸は、第２糸が第１結合糸によって係合されるのと同様に、第１結合糸に隣接する第１基礎糸によって係合される。
さらに、第１結合糸が、当該糸に平行に延びる１本のみの第１基礎糸によって、隣接する第１結合糸から隔てられる場合に効果がある。それは、その場合２本の隣接する基礎糸が、２本の基礎糸の間を延びる第１結合糸の結合点において互いに近接していき、それによりレンズ形状を有する排水孔を形成するからである。
しかし、２本の隣接する第１結合糸の間の第１基礎糸の数は２本以上、例えば２本、３本、又は最大で４本にすることも可能である。
【００１８】
本発明のさらに他の実施形態では、上下に配された第１糸及び第２糸からなる少なくとも１対が、結合点において、第１結合糸によって係合されている第２糸に隣接して延在し、その第１結合糸が織布層を移行するときに当該２本の第１糸及び第２糸の間を通過する。
【００１９】
結合点の数を少なくするには、第１結合糸は、その延在部における２つの隣接する結合点の間で第１結合糸に直交する第１糸の下を通って、第１糸について対称に延びるようにすることで可能である。この第１糸の本数は結合点において平行に延び、第１結合糸によって係合されていない第１糸の本数と一致している。
【００２０】
本発明の裏付けとなる基本的概念は、第１結合糸に直交する第１糸の本数が、少なくとも、当該第１糸に平行な第２糸の本数と等しい抄紙機用織布に好適である。すなわち、その第１糸と第２糸の本数の比は１：１である。
しかし、２：１、３：２、１：２、又は２：３の比も、これに関する制限なく考え得る。
さらに、第１結合糸及び第１結合糸に平行な第１基礎糸の本数の和と、第１基礎糸に平行な第２糸の本数との比は１：１，２：１、又は３：２がよい。
【００２１】
本発明は、第１結合糸に加え、第２糸によって形成される第２結合糸を有することを排除するものではない。
当該第２結合糸は、好適には第１結合糸に直交するもので、結合点において第２結合糸に直交する少なくとも１本の第１糸と係合するものである。
【００２２】
このようなタイプの抄紙機用織布、すなわち、構造内の、或いは内在する結合糸によって織布層が結合されてなるファブリックは、第２織布層が少なくとも４シャフト（ハーネス）、最大で２４シャフト、とりわけ６又は８シャフトに製織された織布に特に適している。
【００２３】
糸の素材としては、抄紙機用織布、特にフォーミングファブリックに一般的に使用される合成繊維ならどれでも適している。
抄紙機用織布の走行方向に延びる糸がポリエチレンテレフタレート（ＰＥＴ）、ポリエチレンナフタレート（ＰＥＮ）、又はこれらの混合物若しくは共重合体であれば都合がよい。
走行方向に直交する糸は、ＰＥＴ、ポリアミド（ＰＡ）、若しくはこれらの混合物若しくは共重合体、又はこれらとポリウレタン（ＰＵ）とのブレンドであればよい。
【００２４】
糸の断面形状については、あらゆる公知の断面形状が可能であるが、特に、円形、楕円形、長方形、又はその他の外形を有する形状などがある。
さらに、糸は、少なくとも２本のモノフィラメント又はマルチフィラメントをよること又は編むことによって製作されたものでもよい。
さらに、糸は、特にウレタン又はアクリル素材により、又はナノ粒子を用いて、被覆されたものであってもよい。
【００２５】
請求項１に記載の発明は、抄紙機に装着される抄紙機用織布、特にフォーミングファブリックであって、第１織布層及び第２織布層を有し、
前記第１織布層は抄紙機に装着される際に紙側となる層であり、複数の第１織布層構成糸が互いに織り合わされていて反復する第１織布の繰返単位を形成し、
前記第２織布層は抄紙機に装着される際に抄紙機側となる層であり、複数の第２織布層構成糸が互いに織り合わされていて反復する第２織布の繰返単位を形成し、
第１織布層及び第２織布層は、第１結合糸により互いに結合されており、当該第１結合糸は第１織布層構成糸に含まれるものであり、
第１織布層構成糸には前記第１結合糸と同方向に延びる第１基礎糸と、第１基礎糸に対して交差する方向に延びる第１交差糸が含まれ、
前記第１基礎糸は前記第１交差糸とともに平織りを形成し、第１結合糸は、前記第１交差糸とともに部分的に平織りを形成し、
前記第１結合糸は、第２織布層構成糸であって当該第１結合糸と交差する第２交差糸のうち少なくとも１本と第２織布層の外側にある結合点で係合して、第１織布層から第２織布層へ、及びその逆へと移行し、
第１交差糸は、前記結合点近傍の領域で第１結合糸と係合されず、前記係合されなかった第１交差糸の本数は、前記結合点で係合される第２交差糸の本数より少なくとも２本多い抄紙機用織布であって、
２本の隣接する第１基礎糸の間にそれぞれ１本のみの第１結合糸を配することを特徴とする抄紙機用織布である。
【００２６】
請求項２に記載の発明は、第１結合糸が２本の隣接する第１基礎糸と直接隣接し、第１結合糸の両側に１本の第１基礎糸があることを特徴とする、請求項１記載の抄紙機用織布である。
【００２７】
請求項３に記載の発明は、第１結合糸が、抄紙機用織布の走行方向に直交して第１結合横糸として延び、結合点において少なくとも１本の第２縦糸と係合し、又は、第１結合糸が、抄紙機用織布の走行方向に第１結合縦糸として延び、結合点において少なくとも１本の第２横糸と係合することを特徴とする、請求項１又は２記載の抄紙機用織布である。
【００２８】
請求項４に記載の発明は、第１結合糸が結合点において１本の第２織布層構成糸と係合することを特徴とする、請求項１〜３のいずれかに記載の抄紙機用織布である。
【００２９】
請求項５に記載の発明は、第１結合糸によって係合された第２織布層構成糸及び当該第２織布層構成糸に平行な第１織布層構成糸が、互いに上下に重なる糸の対を結合点において形成し、当該対を構成する一方の第１織布層構成糸は、第１結合糸に隣接する第１基礎糸によって係合されていることを特徴とする、請求項１〜３のいずれかに記載の抄紙機用織布である。
【００３０】
請求項６に記載の発明は、第１結合糸が、当該糸に平行に延びる１本の第１基礎糸又は複数の第１基礎糸によって、それぞれ隣接する第１結合糸から隔てられ、２本の隣接する第１結合糸の間で平行に延びる第１基礎糸の本数が最大で４であることを特徴とする、請求項１〜５のいずれかに記載の抄紙機用織布である。
【００３１】
請求項７に記載の発明は、上下に配された第１織布層構成糸及び第２織布層構成糸からなる少なくとも１対が、結合点において、第１結合糸によって係合されている第２織布層構成糸に隣接して延在し、その第１結合糸が第１織布層と第２織布層との間を移行する時に当該２本の第１織布層構成糸及び第２織布層構成糸の間を通過することを特徴とする、請求項１〜６のいずれかに記載の抄紙機用織布である。
【００３２】
請求項８に記載の発明は、第１結合糸は、その延在部における２つの隣接する結合点の間で第１結合糸に直交する第１織布層構成糸の下を通って、第１織布層構成糸について対称に延び、この第１織布層構成糸の本数が、結合点において平行に延び、第１結合糸によって係合されていない第１織布層構成糸の本数と一致することを特徴とする、請求項１〜７のいずれかに記載の抄紙機用織布である。
【００３３】
請求項９に記載の発明は、第１交差糸の本数と当該糸に平行な第２織布層構成糸の本数との比が、１：１、２：１、３：２、１：２、又は２：３であることを特徴とする、請求項１〜８のいずれかに記載の抄紙機用織布である。
【００３４】
請求項１０に記載の発明は、第１結合糸及び第１結合糸に平行な第１基礎糸の本数の和と、第１基礎糸に平行な第２織布層構成糸の本数との比が、１：１，２：１、又は３：２であることを特徴とする、請求項１〜９のいずれかに記載の抄紙機用織布である。
【００３５】
請求項１１に記載の発明は、第１結合糸に加え、第２織布層構成糸に含まれる第２結合糸を有し、当該第２結合糸が第１結合糸に直交し、かつ、当該第２結合糸が、結合点において第２結合糸に直交する少なくとも１本の第１織布層構成糸と係合することを特徴とする、請求項１〜１０のいずれかに記載の抄紙機用織布である。
【００３６】
請求項１２に記載の発明は、第２織布層が、少なくとも４シャフト、最大で２４シャフト、とりわけ６又は８シャフトに製織されていることを特徴とする、請求項１〜１１のいずれかに記載の抄紙機用織布である。
【００３７】
請求項１３に記載の発明は、抄紙機用織布の走行方向に延びる糸が、ポリエチレンテレフタレート、ポリエチレンナフタレート、又はこれらの混合物若しくは共重合体であり、及び／又は走行方向に直交する糸が、ポリエチレンテレフタレート、ポリアミド、若しくはこれらの混合物若しくは共重合体、又はこれらとポリウレタンとのブレンド、又は抄紙機に使用するのに適した素材であることを特徴とする、請求項１〜１２のいずれかに記載の抄紙機用織布。
【００３８】
請求項１４に記載の発明は、糸が、円形、楕円形、長方形、又は異なる外形を有する断面形状であることを特徴とする、請求項１〜１３のいずれかに記載の抄紙機用織布である。
【００３９】
請求項１５に記載の発明は、糸が、少なくとも２本のモノフィラメント又はマルチフィラメントをよること又は編むことによって製作されたものであり、及び／又は、特にウレタン若しくはアクリル素材により、又はナノ粒子を用いて、被覆されたものであることを特徴とする、請求項１〜１４のいずれかに記載の抄紙機用織布である。
【発明の効果】
【００４０】
本発明の抄紙機用織布は、排水特性が優れ、マークが形成されにくい。
【図面の簡単な説明】
【００４１】
【図１】第１の抄紙機用織布の断面図である。
【図２】図１に示される抄紙機用織布を紙側から見た平面図である。
【図３】第２の抄紙機用織布の断面図である。
【図４】第３の抄紙機用織布の断面図である。
【図５】第４の抄紙機用織布の断面図である。
【図６】第５の抄紙機用織布の断面図である。図６（ａ）は、図１と同様の断面図、図６（ｂ）は、図６（ａ）のＡ−Ａ矢視断面図である。
【図７】抄紙機用織布の各部の名称を説明する説明図である。
【図８】抄紙機用織布の各部の名称を説明する説明図である。
【図９】抄紙機用織布の各部の名称を説明する説明図である。
【発明を実施するための形態】
【００４２】
図面には、本発明が実施例を用いて説明されている。以下に示す。
図１に示される抄紙機用織布１は、紙側に第１織布層２及び機械側に第２織布層３を有する。織布層２，３は、互いに上下にある。
【００４３】
第１織布層２は、抄紙機用織布１の走行方向に延びる第１縦糸（たとえば４で表される）及び、それに対し横方向に延びる第１横糸で構成されており、両糸とも断面形状は円形である。
第１横糸は第１基礎横糸５と第１結合横糸６から成る。
この２種類の糸５，６は第１縦糸４の方向に交互に配されている。
第１基礎横糸５は、第１縦糸４と平織り状に織り合わされており、第１結合横糸６は、隣接する結合点７，８の間で部分的に平織り状に、すなわち、１本の第１縦糸４の上、その隣の第１縦糸４の下、その隣の第１縦糸４の上、というように、第１縦糸４と係合する。
【００４４】
第２織布層３は、織布１の走行方向に延びる第２縦糸（たとえば９で表される）及び第２横糸１０（ここではそのうちの１本しか図示されていない）で構成されている。
第２横糸１０はそれぞれ、５本の第２縦糸９の下で、外側（機械側）を通り、次いでナックル（ｋｎｕｃｋｌｅ）１１で１本の第２縦糸９と係合する。
第２横糸１０の長い浮糸部（ｆｌｏａｔ）は、横糸ランナー（ｗｅｆｔ  ｒｕｎｎｅｒ）ともいえる。
第２縦糸９も、第２横糸１０と同様、その断面形状は円形である。
【００４５】
第１縦糸４及び第２縦糸９の本数の比は１対１である。すなわち、１本の第１縦糸４が１本の第２縦糸９の上を延び、上下に重なるように第１，第２縦糸４，９が２本一組になっている。
【００４６】
第１結合横糸６は、一定の間隔をもって、結合点７，８で第２縦糸９と係合し、外側（機械側）にナックル１２，１３を形成しながら、２層の織布層２，３を結合している。
各結合点７，８において、それぞれの第１結合横糸６は上下に重なる第１，第２縦糸４、９の対１４の間を通り、外側（機械側）の、隣接する第２縦糸９と係合する。
さらに、第１結合横糸６は、再び上下に重なる第１，第２縦糸４，９の対１５の間を通り、外側（紙側）の、隣接する第１縦糸４と係合し、平織り状に進んでいく。
次の結合点８でも、第１結合横糸６は、同じ態様で延びていく。
すなわち、各結合点７，８において、３本の隣接する第１縦糸４が、第１結合横糸６によって係合されておらず、２本の隣接する第１基礎横糸５によってのみ係合されている。
このパターンにより、第２縦糸９の上にあって、第１結合横糸６によって係合された第１縦糸４は、当該糸４の下側で、第１結合横糸６の隣に延びる２本の第１基礎横糸５によって係合される。
【００４７】
図２は、第１縦糸４（黒）、第１基礎横糸５（濃い灰色）、及び第１結合横糸６（薄い灰色）を含む領域を示す。
見てわかるとおり、第１結合横糸６は、実質的に直線状に延び、第１基礎横糸５は、波状に延びている。
結合点７，８において、例えば結合点７では、第１結合横糸６は第２織布層３（図２では示さず）に移行し、それに隣接する２本の第１基礎横糸５は、当該糸５の上に延びる第１縦糸４により、互いに接近させられ、従って、部分的に第１結合糸６と重なる。
第１基礎横糸５の変位により、レンズ形状を有する排水孔（例えば１６，１７で表される）ができる。レンズを形成する平面は、第１基礎横糸５の隣の第１結合横糸６によって構成され、レンズを形成する凹面は、第１基礎横糸５によって構成される。
この排水孔１６，１７は、第１織布層２の紙側に規則正しく分布し、走行方向に対し直角に長い方向を有するので、繊維を支持するのに優れている。
【００４８】
図３に示される抄紙機用織布２１は、図１の抄紙機用織布１とわずかに異なるだけであり、そのため、同一の部位には図１にある同一の符号を付している。
抄紙機用織布１と異なるのは、結合点８がない点のみであり、そのため結合点７同士の間が二倍になる。結合点８のかわりに、第１結合横糸６は３本の連続する第１縦糸４の下を通る。
図３に示される実施形態に変更を加えるとすれば、前述の浮糸部の代わりに平織りを連続させ、平織りによる結合が２箇所の結合点７の間を中断なく延びるようにするという変更が可能である。
【００４９】
図４に示される抄紙機用織布３１もまた、図１の抄紙機用織布１とわずかに異なるだけであり、ここでも同一の部位には図１にある同一の符号を付す。これらの部位に関しては、図１の織布１の説明を参照されたい。
唯一異なるのは、第１，第２縦糸４、９の本数の比である。
ここでの比は１：２であり、第１，第２縦糸４，９は、両縦糸４，９が上下になる対１４，１５が第２縦糸９の１本おきに形成されるように配置されている。
この配置により、第１織布層２の紙側において間隙がより広くなり、排水孔が、図２に示される排水孔１６，１７より長くなる。
図１〜３に示される実施形態と同様に、結合点７，８は、第２横糸１０のナックル１２，１３に置き換えることができる。
【００５０】
図５に示される抄紙機用織布４１は、第１，第２縦糸４．９の本数の比に関してのみ、図１の抄紙機用織布１と異なるものである。
したがって、図５においても、同一の部位には同一の番号を付す。
ここで、比は３：２である。すなわち、第２縦糸９が２本おきに省かれ、第２横糸１０の浮糸部が５本の第２縦糸９の下を延びており、その距離が長いために、第２横糸１０の浮糸区間の途中、すなわち２箇所のナックル１１の間には、２つの結合点７，８が形成される。
【００５１】
図６（ａ），（ｂ）に示される抄紙機用織布５１は、図１の抄紙機用織布１とわずかに異なるだけであり、そのため、同一の部位には図１にある同一の符号を付している。
抄紙機用織布１と異なるのは、第１結合糸６に加え、第２糸に含まれる第２結合糸５２を有し、当該第２結合糸５２が第１結合糸６に直交し、かつ、当該第２結合糸５２が、結合点において第２結合糸５２に直交する少なくとも１本の第１糸４と係合することを特徴とする点である。
【００５２】
以上説明した抄紙機用織布は、抄紙機用織布（１，２１，３１，４１）、特にフォーミングファブリックであって、第１織布層（２）及び第２織布層（３）を有し、第１織布層（２）は紙側に設けられて第１糸（４，５，６）からなり、第１糸（４，５，６）は互いに織り合わされ、反復する第１織布の繰返単位を形成し、第２織布層（３）は機械側に設けられて第２糸からなり、第２糸は互いに織り合わされ、反復する第２織布の繰返単位を形成し、
第１織布層及び第２織布層（２，３）は、第１糸（５，６）のうちの第１結合糸（６）により互いに結合され、
第１糸（５，６）は一方向に延在して、第１基礎糸（５）と第１結合糸（６）とに分けられ、第１基礎糸（５）は、当該第１基礎糸（５）に直交する第１糸（４）とともに平織りを形成し、第１結合糸（６）は、当該第１結合糸（６）に直交する第１糸（４）とともに部分的に平織りを形成し、
第１結合糸（６）は、当該第１結合糸（６）に直交する第２糸（９）のうち少なくとも１本と、外側にある結合点（７，８）にて係合して、第１織布層（２）から第２織布層（３）へ、及びその逆へと移行し、
第１結合糸（６）に直交する第１糸（４）であって結合点（７，８）にて係合されない第１糸（４）の本数は、結合点（７，８）にて係合される第２糸の本数より少なくとも２本多い抄紙機用織布であって、
２本の隣接する第１基礎糸（５）の間にそれぞれ１本のみの第１結合糸（６）を配することを特徴とする抄紙機用織布である。
【００５３】
また第１結合糸（６）が２本の隣接する第１基礎糸（５）と直接隣接すること、すなわち第１結合糸（６）の両側に１本の第１基礎糸（５）があることを特徴とする、上記記載の抄紙機用織布である。
【００５４】
また第１結合糸が、抄紙機用織布（１，２１，３１，４１）の走行方向に直交して第１結合横糸（６）として延び、結合点（７，８）において少なくとも１本の第２縦糸（９）と係合し、又は、第１結合糸が、抄紙機用織布の走行方向に第１結合縦糸として延び、結合点において少なくとも１本の第２横糸と係合することを特徴とする、上記記載の抄紙機用織布である。
【００５５】
また第１結合糸（６）が結合点（７，８）において１本の第２糸（９）と係合することを特徴とする、上記記載の抄紙機用織布である。
【００５６】
また第１結合糸（６）によって係合された第２糸（９）及び当該第２糸（９）に平行な第１糸（４）が、互いに上下に重なる糸の対を結合点（７，８）において形成し、当該対の第１糸は、第２糸（９）が第１結合糸（６）によって係合されるのと同様に、第１結合糸（６）に隣接する第１基礎糸（５）によって係合されていることを特徴とする、上記記載の抄紙機用織布である。
【００５７】
また第１結合糸（６）が、当該糸に平行に延びる１本の第１基礎糸（５）又は複数の第１基礎糸によって、それぞれ隣接する第１結合糸（６）から隔てられ、２本の隣接する第１結合糸（６）の間で平行に延びる第１基礎糸（５）の本数が最大で４であることを特徴とする、上記記載の抄紙機用織布である。
【００５８】
また上下に配された第１糸及び第２糸（４，９）からなる少なくとも１対（１４，１５）が、結合点（７，８）において、第１結合糸（６）によって係合されている第２糸（９）に隣接して延在し、その第１結合糸が織布層（２，３）を移行する時に当該２本の第１糸及び第２糸（４，９）の間を通過することを特徴とする、上記記載の抄紙機用織布である。
【００５９】
また第１結合糸（６）は、その延在部における２つの隣接する結合点（７）の間で第１結合糸に直交する第１糸（４）の下を通って、第１糸（４）について対称に延び、この第１糸（４）の本数が、結合点において平行に延び、第１結合糸（６）によって係合されていない第１糸の本数と一致することを特徴とする、上記記載の抄紙機用織布である。
【００６０】
また第１結合糸（６）に直交する第１糸（４）の本数と当該糸に平行な第２糸（９）の本数との比が、１：１、２：１、３：２、１：２、又は２：３であることを特徴とする、上記記載の抄紙機用織布である。
【００６１】
また第１結合糸（６）及び第１結合糸（６）に平行な第１基礎糸（５）の本数の和と、第１基礎糸（５）に平行な第２糸の本数との比が、１：１，２：１、又は３：２であることを特徴とする、上記記載の抄紙機用織布である。
【００６２】
また第１結合糸（６）に加え、第２糸に含まれる第２結合糸を有し、当該第２結合糸が第１結合糸（６）に直交し、かつ、当該第２結合糸が、結合点において第２結合糸に直交する少なくとも１本の第１糸と係合することを特徴とする、上記記載の抄紙機用織布である。
【００６３】
また第２織布層（３）が、少なくとも４シャフト、最大で２４シャフト、とりわけ６又は８シャフトに製織されていることを特徴とする、上記記載の抄紙機用織布である。
【００６４】
また抄紙機用織布の走行方向に延びる糸（４，９）が、ポリエチレンテレフタレート、ポリエチレンナフタレート、又はこれらの混合物若しくは共重合体であり、及び／又は走行方向に直交する糸（５，６，１０）が、ポリエチレンテレフタレート、ポリアミド、若しくはこれらの混合物若しくは共重合体、又はこれらとポリウレタンとのブレンド、又は抄紙機に使用するのに適した素材であることを特徴とする、上記記載の抄紙機用織布である。
【００６５】
また糸（４，５，６，９．１０）が、円形、楕円形、長方形、又は異なる外形を有する断面形状であることを特徴とする、上記記載の抄紙機用織布である。
【００６６】
また糸（４，５，６，９．１０）が、少なくとも２本のモノフィラメント又はマルチフィラメントをよること又は編むことによって製作されたものであり、及び／又は、特にウレタン若しくはアクリル素材により、又はナノ粒子を用いて、被覆されたものであることを特徴とする、上記記載の抄紙機用織布である。
【符号の説明】
【００６７】
１，２１，３１，４１  抄紙機用織布
２  第１織布層
３  第２織布層
４  第１糸（第１織布層構成糸、第１交差糸）
５  第１糸（第１織布層構成糸、第１基礎糸）
６  第１糸（第１織布層構成糸、第１結合糸）
７，８  結合点
９  第２糸（第２織布層構成糸、第２縦糸）
１０  第２糸（第２織布層構成糸、第２横糸）
【図１】
2011089247.tif 000003
【図２】
2011089247.tif 000004
【図３】
2011089247.tif 000005
【図４】
2011089247.tif 000006
【図５】
2011089247.tif 000007
【図６】
2011089247.tif 000008
【図７】
2011089247.tif 000009
【図８】
2011089247.tif 000010
【図９】
2011089247.tif 000011